(57)【特許請求の範囲】
【請求項１】
原稿の画像を読み取る画像読取手段と、該画像読取手段によって読み取った画像情報を記憶する画像記憶手段と、該画像記憶手段に記憶された画像情報を用紙上に画像形成して出力する画像出力手段とを備えたデジタル複写機の機能を持つ画像処理装置において、
前記画像読取手段によって解答用紙を読み取ったとき、その読み取った画像情報から出題された問題を認識する問題認識手段、および該画像情報からその出題された問題に対する解答の文字，記号又はマークを認識する解答認識手段と、
前記問題認識手段によって認識される問題に対する正解の情報を予め記憶して保持する正解情報保持手段と、
前記解答認識手段が認識した解答と前記正解情報保持手段が保持する正解とを各問題毎に比較して各解答の正否を判断し、その各判断結果から点数を算出する採点手段と、
該採点手段による採点結果を前記画像出力手段によって用紙上に画像形成して出力させる採点結果出力手段とを備えると共に、
データベース装置に登録されている問題のデータを直接あるいはネットワークを介して読み込んで記憶する問題記憶手段と、
問題数を指定する問題数指定手段と、
該問題数指定手段によって指定された数の問題を、前記データベース装置に登録されている多数の問題から選択して前記問題記憶手段に読み込ませ、問題用紙のデータを作成する出題手段と、
該出題手段によって作成された問題用紙のデータを前記画像出力手段によって用紙上に画像形成して問題用紙として出力させる問題用紙出力手段と
を備えたことを特徴とする画像処理装置。
【請求項２】
原稿の画像を読み取る画像読取手段と、該画像読取手段によって読み取った画像情報を記憶する画像記憶手段と、該画像記憶手段に記憶された画像情報を用紙上に画像形成して出力する画像出力手段とを備えたデジタル複写機の機能を持つ画像処理装置において、
前記画像読取手段によって解答用紙を読み取ったとき、その読み取った画像情報からコード化された正解の情報を認識する正解認識手段、および該画像情報から出題された問題に対する解答の文字，記号又はマークを認識する解答認識手段と、
前記正解認識手段によって認識された正解の情報を保持する正解情報保持手段と、
前記解答認識手段が認識した解答と前記正解情報保持手段が保持する正解とを各問題毎に比較して各解答の正否を判断し、その各判断結果から点数を算出する採点手段と、
該採点手段による採点結果を前記画像出力手段によって用紙上に画像形成して出力させる採点結果出力手段とを備えると共に、
データベース装置に登録されている問題のデータを直接あるいはネットワークを介して読み込んで記憶する問題記憶手段と、
問題数を指定する問題数指定手段と、
該問題数指定手段によって指定された数の問題を、前記データベース装置に登録されている多数の問題から選択して前記問題記憶手段に読み込ませ、問題用紙のデータを作成する出題手段と、
該出題手段によって作成された問題用紙のデータを前記画像出力手段によって用紙上に画像形成して問題用紙として出力させる問題用紙出力手段と
を備えたことを特徴とする画像処理装置。
【請求項３】
請求項１又は２記載の画像処理装置において、前記出題手段は、前記指定された数の問題を、前記データベース装置に登録されている多数の問題からランダムに選択して前記問題記憶手段に読み込ませることを特徴とする画像処理装置。
【請求項４】
原稿の画像を読み取る画像読取手段と、該手段によって読み取った画像情報を記憶する画像記憶手段と、該画像記憶手段に記憶された画像情報を用紙上に画像形成して出力する画像出力手段とを備えたデジタル複写機の機能を持つ画像処理装置において、
前記画像読取手段によって解答用紙を読み取ったとき、その読み取った画像情報から出題された問題を認識する問題認識手段、および該画像情報からその出題された問題に対する解答の文字，記号又はマークを認識する解答認識手段と、
前記問題認識手段によって認識した問題に対する正解の情報を予め記憶して保持する正解情報保持手段と、
前記解答認識手段が認識した解答と前記正解情報保持手段が保持する正解とを各問題毎に比較して各解答の正否を判断し、その各判断結果から点数を算出する採点手段と、
該採点手段による採点結果を前記画像出力手段によって用紙上に画像形成して出力させる採点結果出力手段と、
前記画像読取手段によって問題用紙の画像を読み取った時、その画像情報から文字及び罫線を認識する文字・罫線認識手段と、
該文字・罫線認識手段によって認識した文字及び罫線を所定のテキスト形式に変換するイメージ／テキスト変換手段と、
該イメージ／テキスト変換手段によって変換されたテキスト形式のデータを新規の問題用紙のデータとして登録する問題用紙データ登録手段と、
該問題用紙データ登録手段によって登録された問題用紙のデータを前記画像出力手段によって用紙に画像形成して問題用紙として出力させる問題用紙出力手段とを設けたことを特徴とする画像処理装置。
【請求項５】
原稿の画像を読み取る画像読取手段と、該手段によって読み取った画像情報を記憶する画像記憶手段と、該画像記憶手段に記憶された画像情報を用紙上に画像形成して出力する画像出力手段とを備えたデジタル複写機の機能を持つ画像処理装置において、
前記画像読取手段によって解答用紙を読み取ったとき、その読み取った画像情報から出題された問題を認識する問題認識手段、および該画像情報からその出題された問題に対する解答の文字，記号又はマークを認識する解答認識手段と、
該解答認識手段が認識した解答と正解登録手段に登録されている前記問題認識手段が認識した問題に対する正解とを各問題毎に比較して各解答の正否を判断し、その各判断結果から点数を算出する採点手段と、
該採点手段による採点結果を前記画像出力手段によって用紙上に画像形成して出力させる採点結果出力手段と、
前記画像読取手段によって問題とその解答欄に正解が記載された問題用紙の画像を読み取った時、その画像情報から問題の文字及び罫線と正解の文字，記号又はマークとを区別して認識する問題・正解認識手段と、
該問題・正解認識手段によって認識した問題の文字及び罫線と正解の文字，記号又はマークを所定のテキスト形式に変換するイメージ／テキスト変換手段と、
該イメージ／テキスト変換手段によって変換されたテキスト形式の問題のデータを新規の問題用紙のデータとして登録する問題用紙データ登録手段、および正解のデータをその問題用紙の各問題に対する正解情報として登録する前記正解登録手段と、
前記問題用紙データ登録手段によって登録された問題用紙のデータを前記画像出力手段によって用紙に画像形成して問題用紙として出力させる問題用紙出力手段とを設けたことを特徴とする画像処理装置。
【請求項６】
請求項４又は５記載の画像処理装置において、前記問題用紙データ登録手段によって登録された問題用紙のデータを記憶する外部記憶装置を設けたことを特徴とする画像処理装置。
【請求項７】
請求項４又は５記載の画像処置装置において、前記問題用紙データ登録手段によって登録された問題用紙のデータを、外部からの送信要求に応じて選択的に送信する問題送信手段とを備えたことを特徴とする画像処理装置。
【請求項８】
請求項１乃至７のいずれか一項に記載の画像処理装置において、前記採点結果出力手段が、前記採点手段による採点結果を前記画像出力手段によって前記画像読取手段が画像情報を読み取った解答用紙上に画像形成して出力させる手段であることを特徴とする画像処理装置。
【発明の詳細な説明】
【０００１】
【産業上の利用分野】
この発明は、デジタル複写機の機能を持つ画像処理装置に、解答用紙の採点を行なう機能と問題用紙を作成する機能とを持たせた画像処理装置に関する。
【０００２】
【従来の技術】
学校や学習塾を始め各種教育の場等では、生徒や学習者の学習成果を確認したりその学習成果に応じた成績を判定したり、資格を与えたり、あるいは入学者を決めるためなどに頻繁に試験（テスト）が実施されている。
その各種試験に使用する問題用紙は、教師等の試験実施者が自分で問題及び原稿を作成して必要枚数の問題用紙を複写機でコピーしたり簡易印刷機で印刷するか、あるいは専門の業者に印刷させたものや、業者自身が問題も作成して印刷したものなどが使用される。
【０００３】
また、その試験後の解答用紙（答案用紙）の採点も、学校などでは試験実施者である教師が手作業で行なうのが一般的であるが、入学試験や資格試験、あるいは大規模な模擬試験などの場合には、大勢の採点者が分担して行なったり、コンピュータを用いた自動採点システムによる自動採点も行なわれている。
また、多数の受験者の解答用紙の採点結果をコンピュータを用いて集計し、平均点や偏差値等の計算を行なったり、表やグラフを作成することも行なわれている。
【０００４】
【発明が解決しようとする課題】
しかしながら、問題用紙を教師等の試験実施者が自分で作成するのでは、頻繁にテストを行なう場合、その問題作成の労力が大変である。そのため、現在小学校等で行なわれているテストは、業者等から購入した問題用紙を使用することが多く、別の学校で先にテストが行なわれるとその情報が塾等で交換されて、テストをする前に問題がわかってしまう等の社会問題も発生している。
【０００５】
また、上述のように解答用紙の採点を手作業で行なう場合には、相当の手間がかかり、採点効率が悪いばかりか誤った採点を行なってしまう恐れもある。
一方、自動採点を行なう場合には、予め解答用紙の解答欄に塗り潰しマーク等の決められた方法で解答させるマークシート方式が多く採用されているが、解答方法が極めて単純なものに規制されてしまうばかりか、その採点装置も専用のもので、短時間に大量の解答用紙を読み込んで採点する高速処理の装置であり、大容量のメモリも必要とするために非常に高価なものとなっている。
さらに、装置が大きくその使用方法も特殊なため、個々の学校や学習教室などでは使用することができなかった。
【０００６】
この発明は上記のような問題を解決るためになされたものであり、学校等にも広く普及している複写機、特に近年急速に普及してきているデジタル複写機を利用した画像処理装置によって、各種テストの解答用紙の採点を自動的に簡単にできるようにし、且つ各種テストの問題用紙も簡単に作成できるようにすることを目的とする。
【０００７】
【課題を解決するための手段】
この発明による画像処理装置は、上記の目的を達成するため、図４又は図５の機能ブロック図に示すように構成するが、その説明に先立って、この発明による画像処理装置における問題用紙作成機能部だけをもつ問題作成システムの参考例を図１及び図２に示す。
図１に示す問題用紙作成システムは、多数の問題のデータを登録したデータベース装置５と、そのデータベース装置５に登録されている問題のデータを用いて問題用紙を作成する問題用紙作成装置７とからなる。
【０００８】
その問題用紙作成装置７は、データベース装置５に登録されている問題のデータを直接あるいはネットワークを介して読み込んで記憶する問題記憶手段Ｌと、問題数を指定する問題数指定手段Ｍと、それによって指定された数の問題を、データベース装置５に登録されている多数の問題からランダムに選択して問題記憶手段Ｌに読み込ませて記憶させることにより出題する出題手段Ｎと、その出題された各問題を用紙上に画像形成して問題用紙として出力する問題用紙出力手段Ｐとを備えている。
【０００９】
また、図２に示す問題用紙作成システムは、上記と同様にデータベース装置５′と問題用紙作成装置７′とからなる問題作成システムであって、その記データベース装置５′が多数の問題のデータをランク分けして登録するランク別問題登録手段ａを備えている。
【００１０】
その問題用紙作成装置７′は、データベース装置５′に登録されている問題のデータを直接あるいはネットワークを介して読み込んで記憶する問題記憶手段Ｌと、過去の採点結果を個人別あるいはグループ別に蓄積記憶する採点結果記憶手段Ｓと、問題数を指定する問題数指定手段Ｍと、個人あるいはグループを指定する手段Ｑと、それによって指定された個人あるいはグループのレベルを採点結果記憶手段Ｓに記憶された採点結果の蓄積記憶データから判定するレベル判定手段Ｓと、それによって判定したレベルに応じたランクの問題を問題数指定手段Ｍによって指定された数だけ、データベース装置５′に登録されているランク分けして登録されている多数の問題から選択して問題記憶手段Ｌに読み込ませて記憶させることにより出題する出題手段Ｎ′と、その出題された各問題を用紙上に画像形成して問題用紙として出力する問題用紙出力手段Ｐとを備えている。
【００１１】
なお、これらの問題作成システムにおいて、図１及び図２にそれぞれ破線で示すように、問題用紙作成装置７，７′に、出題手段Ｎ，Ｎ′によってそれぞれ出題された各問題を問題用紙のデータとして記憶する外部記憶装置Ｔを設けるとよい。
【００１２】
また、これらの問題作成システムに用いられるデータベース装置に、図３に示すように問題用紙の画像を読み取る画像読取手段ｂと、該手段ｂによって読み取った画像情報を問題のデータとして登録する問題登録手段ｃと、その問題登録手段ｃに登録された問題のデータを外部（問題用紙作成装置）からの送信要求に応じて選択的に送信する問題送信手段ｄとを備えるようにするとよい。
図２の問題作成システムに用いるデータベース装置５′の場合には、図３の問題登録手段ｃを、画像読取手段ｂによって読み取る多数の画像情報をそれぞれ問題のデータとしてランク分けして登録するランク別問題登録手段ａとすることができる。
【００１３】
この発明による画像処理装置は、図４又は図５の機能ブロック図に示すように、原稿の画像を読み取る画像読取手段（イメージスキャナ）Ａと、それによって読み取った画像情報を記憶する画像記憶手段（画像メモリ）Ｂと、その記憶された画像情報を用紙上に画像形成して出力する画像出力手段Ｃとを備えたデジタル複写機の機能を持つ画像処理装置１又は１′に、次の各手段を設ける。
【００１４】
すなわち、画像読取手段Ａによって解答用紙（答案用紙）を読み取ったとき、その読み取った画像情報から出題された問題を認識する問題認識手段Ｄ又はコード化された正解の情報を認識する正解認識手段Ｊ、及び該画像情報からその出題された問題に対する解答の文字，記号又はマークを認識する解答認識手段Ｅと、問題認識手段Ｄによって認識される問題に対する正解の情報を予め記憶して保持するか正解認識手段Ｊによって認識された正解の情報を保持する正解情報保持手段Ｆ又はＦ′と、解答認識手段Ｅが認識した解答と正解情報保持手段Ｆ又はＦ′が保持する正解とを各問題毎に比較して各解答の正否を判断し、その各判断結果から点数を算出する採点手段Ｇと、その採点結果を画像出力手段Ｃによって用紙上に画像形成して出力させる採点結果出力手段Ｈとを設ける。
【００１５】
図４の画像処理装置１は、問題認識手段Ｄとそれによって認識される問題に対する正解の情報を予め記憶して保持する正解情報保持手段Ｆとを有し、図５の画像処理装置１′は、正解認識手段Ｊとそれによって認識された正解の情報を保持する正解情報保持手段Ｆ′とを有しているが、これらは反対でもよく、いずれかを備えていればよい。
【００１６】
図４の画像処理装置１はさらに、問題を作成するために、データベース装置５に登録されている問題のデータを直接あるいはネットワークを介して読み込んで記憶する問題記憶手段Ｌと、問題数を指定する問題数指定手段Ｍと、その問題数指定手段Ｍによって指定された数の問題を、データベース装置５に登録されている多数の問題から選択して問題記憶手段Ｌに読み込ませ、問題用紙のデータを作成する出題手段Ｎと、その出題手段によって作成された問題用紙のデータを画像出力手段Ｃによって用紙上に画像形成して問題用紙として出力させる問題用紙出力手段Ｐと備えている。
上記出題手段Ｎ又はＮ′は、指定された数の問題を、データベース装置５に登録されている多数の問題からランダムに選択して問題記憶手段Ｌに読み込ませるようにすることができる。
【００１７】
さらに、図５の画像処理装置１′のように、図２の問題用紙出力手段７′と同様な採点結果記憶手段Ｋ，問題記憶手段Ｌ，問題数指定手段Ｍ，個人・グループ指定手段Ｑ，レベル判定手段Ｒ，出題手段Ｎ′，及び問題用紙出力手段Ｐを備え、その採点結果記憶手段Ｋは採点手段Ｇによる採点結果を個人別あるいはグループ別に蓄積記憶し、データベース装置５はランク別問題登録手段ａに多数の問題をランク分けして登録しており、問題用紙出力手段Ｐは、問題記憶手段Ｌと出題手段Ｎ′によって作成されるレベルに応じたランクの問題用紙のデータを画像出力手段Ｃによって用紙上に画像形成して問題用紙として出力させることができる。
【００１８】
また、データベース装置なしで単独で問題用紙を作成できるようにするため、図６に示すように画像読取手段Ａと画像記憶手段Ｂと画像出力手段Ｃとを備えたデジタル複写機の機能を持つ画像処理装置において、画像読取手段Ａによって問題用紙の画像を読み取った時、その画像情報から文字及び罫線を認識する文字・罫線認識手段Ｕと、それによって認識した文字及び罫線を所定のテキスト形式に変換するイメージ／テキスト変換手段Ｖと、その変換されたテキスト形式のデータを新規の問題用紙のデータとして登録する問題用紙データ登録手段Ｗと、その登録された問題用紙のデータを画像出力手段Ｃによって用紙に画像形成して問題用紙として出力させる問題用紙出力手段Ｘとを設けることができる。
【００１９】
あるいは、図７に示すように、画像読取手段Ａによって問題とその解答欄に正解が記載された問題用紙の画像を読み取った時、その画像情報から問題の文字及び罫線と正解の文字，記号又はマークとを区別して認識する問題・正解認識手段Ｙと、それによって認識した問題の文字及び罫線と正解の文字，記号又はマークを所定のテキスト形式に変換するイメージ／テキスト変換手段Ｖ′と、その変換されたテキスト形式の問題のデータを新規の問題用紙のデータとして登録する問題用紙データ登録手段Ｗ、及び正解のデータをその問題用紙の各問題に対する正解情報として登録する正解登録手段Ｚと、問題用紙データ登録手段によって登録された問題用紙のデータを画像出力手段Ｃによって用紙に画像形成して問題用紙として出力させる問題用紙出力手段Ｘとを設けてもよい。
【００２０】
これらの画像処理装置に、図４又は図５に示した画像処理装置１又は１′のようにＡ〜Ｈの各手段からなる解答用紙の自動採点機能を備えることによっても、この発明による画像処理装置を構成することができる。
【００２１】
また、自動採点機能を備えた各画像処理装置における採点結果出力手段Ｈを、採点手段Ｇによる採点結果を画像出力手段Ｃによって、画像読取手段Ａが画像情報を読み取った解答用紙上に画像形成して出力させる手段にするとよい。
問題用紙出力手段Ｘには、登録された問題用紙のデータを表示したり、外部記憶装置に記憶させたり、外部からの要求に応じて送信する機能を持たせるようにしてもよい。
【００２２】
【作用】
このように構成した問題作成システムの参考例とこの発明による画像処理装置の作用を説明する。
図１に示した問題作成システムは、問題用紙作成装置７の問題数指定手段Ｍによって問題数を指定すると、出題手段Ｎがその指定された数の問題を、データベース装置５に登録されている多数の問題からランダムに選択して問題記憶手段Ｌに読み込ませて記憶させることにより出題し、問題用紙出力手段Ｐがその出題された各問題を用紙上に画像形成して問題用紙として出力する。
したがって、各種のテストに使用する問題用紙を、問題数を指定するだけで迅速且つ簡単に作成することができる。
【００２３】
図２に示した問題作成システムは、問題用紙作成装置７の個人・グループ指定手段Ｑによってテストを受けさせる個人あるいはグループを指定し、問題数指定手段Ｍによって問題数を指定すると、レベル判定手段Ｓが指定された個人あるいはグループのレベルを採点結果記憶手段Ｓに記憶された採点結果の蓄積記憶データから判定する。
【００２４】
そして、その判定されレベルに応じたランクの問題を問題数指定手段Ｍによって指定された数だけ、出題手段Ｎ′がデータベース装置５′のランク別問題登録手段によってランク分けして登録されている多数の問題から選択して問題記憶手段Ｌに読み込ませて記憶させることにより出題し、問題用紙出力手段Ｐがその出題された各問題をが用紙上に画像形成して問題用紙として出力する。
したがって、受験者の個人あるいはグループの過去の採点結果の蓄積データに基づくレベル応じた問題を自動的に選択して、迅速且つ容易に適切な問題用紙を作成することができる。
【００２５】
また、図３に示したデータベース装置によれば、予め登録されている問題だけでなく、出題者が新たに作成した問題用紙を画像読取手段ｂで読み取らせて、問題登録手段ｃ又はａに登録させ、その問題データを外部（問題用紙作成手段）からの要求によって送信することもできる。
【００２６】
図４に示したこの発明による画像処理装置１は、原稿として通常のコピー原稿をセットして画像読取手段Ａに読み取らせれば、その読み取った画像情報を画像記憶手段Ｂに一旦記憶し、その記憶した画像情報を画像出力手段Ｃによって用紙上に画像形成して出力するので、従来のデジタル複写機と同様に必要な枚数のコピーを簡単にとることができる。
【００２７】
また、図１に示した問題用紙作成装置７と同様に、問題数を指定するだけで、データベース装置５に登録されている多数の問題から必要数の問題をランダムに選択して出題し、それを用紙上に画像形成して問題用紙として出力することができる。
【００２８】
さらに、受験者によって問題用紙あるいは別の用紙に解答が書き込まれた解答用紙（答案用紙ともいう）をセットして画像読取手段Ａに読み取らせれば、その読み取った解答用紙の画像情報からそこに出題された問題を問題認識手段Ｄが認識し、その出題された問題に対する正解情報を正解情報保持手段Ｆから読み出す。また、解答認識手段Ｅが解答の文字，記号又はマークを認識し、それを採点手段Ｇが正解情報保持手段Ｆから読み出された正解情報と各問題毎に比較して各解答の正否を判断して点数を算出する。
【００２９】
その採点結果を、採点結果出力手段Ｈが画像出力手段Ｃによって用紙に画像形成して出力させるので、解答用紙を画像読取手段にセットして読み取らせるだけで、自動的に採点を行なうことができる。
なお、図５に示した画像処理装置１′のように、解答用紙から読み取った画像情報から正解認識手段Ｊによって正解情報（バーコード等のコード化された情報による）を認識し、それを正解情報保持手段Ｆに保持させるようにすることができる。
【００３０】
図５に示した画像処理装置１′はさらに、採点手段Ｇによる採点結果を個人別あるいはグループ別に蓄積記憶し、図２に示した問題用紙出力手段７′と同様に、受験者の個人あるいはグループの過去の採点結果の蓄積データに基づくレベル応じた問題を自動的に選択して、迅速且つ容易に適切な問題用紙を作成することができる。
【００３１】
また、図６及び図７に示した画像処理装置は、図４及び図５に示した画像処理装置と同様に、原稿として通常のコピー原稿をセットして画像読取手段Ａに読み取らせれば、その読み取った画像情報を画像記憶手段Ｂに一旦記憶し、その記憶した画像情報を画像出力手段Ｃによって用紙上に画像形成して出力するので、従来のデジタル複写機と同様に必要な枚数のコピーを簡単にとることができる。
【００３２】
そして、データベース装置なしで単独で、問題用紙のデータを問題用紙データ登録手段Ｗに、あるいは同時にその各問題の正解のデータも正解登録手段Ｚにそれぞれ登録することがてき、その問題用紙のデータを必要に応じて問題用紙出力手段Ｘによって読み出して、画像出力手段Ｃによって用紙に画像形成して問題用紙として出力することができる。
【００３３】
これらの画像処理装置に、図４又は図５に示したＡ〜Ｈの各手段からなる自動採点機能を備えることにより、単独の装置によって、通常のコピーと、問題用紙の作成と、解答用紙の自動採点とを行なうことができる。
【００３４】
また、自動採点機能を備えた各画像処理装置における採点結果出力手段Ｈを、採点手段Ｇによる採点結果を画像出力手段Ｃによって、画像読取手段Ａが画像情を読み取った解答用紙上に画像形成して出力させる手段にすれば、各人の解答用紙上に採点結果の正否を表わす〇，×，△等のパターン及び点数をプリントすることができ、人手による採点結果と同様な体裁の採点済み解答用紙を受験者に戻すことができ、受験者がそれを参照しやすくなる。
【００３５】
【実施例】
以下、この発明の実施例を図面の図８以降を参照して具体的に説明する。
図８はこの発明による画像処理装置の構成例を示すブロック図である。
【００３６】
この画像処理装置１は、デジタル複写機２に、この発明による採点処理や問題作成処理などを実現するためのアプリケーション部３を、相互の命令の通信や画像の入出力に使用される各種のケーブルを介して接続して構成される。この画像処理装置１は、図１及び図２に示した問題用紙作成装置の機能を備えている。
【００３７】
アプリケーション部３は、ＯＳによって管理されるＣＰＵを含むアプリ制御部３１と、各種認識，採点，出題，作画等の処理を行なうアプリベースボード３２とをバス接続しており、デジタル複写機２との間でＲＳ２３２Ｃによる通信コマンドによりビデオデータの入出力を行なう。
また、ＩＣカード３３によってアプリケーション・プログラムをアプリケーション部３に提供したり、辞書やフォント・データ、問題データ（正解，配点データを含む）等をＩＣカード３３を利用して供給してもよい。
【００３８】
あるいは、これらの情報をネットワークを介して外部のデータベース装置５を利用して取り込んだり、あるいはＳＣＳＩによって接続した光磁気ディスク装置（ＭＯ），フロッピディスク装置（ＦＤＤ），ハードディスク装置（ＨＤ）等の外部記憶装置６の記録媒体をデータベース等として使用することもできる。
ＬＣＤ３４は、アプリケーション部３の液晶表示器であるが、これはデジタル複写機２の操作部に設けられている表示部を兼用することができる。
【００３９】
データベース装置５には、パソナルコンピュータ（ＰＣ）やワークステーション（ＷＳ）が使用され、内部メモリに多数の問題データをデータベースとして登録しているが、その詳細は後述する。
【００４０】
図９は、この実施例におけるデジタル複写機２の機構部の構成例を示す。
このデジタル複写機２は、大きく分けて上部のイメージスキャナ（以下「スキャナ部」という）１００とその下に配置されたレーザプリンタ（以下「プリンタ部」という２００で構成されている。
図１０は、そのプリンタ部の感光体ドラム回りの画像形成作用を示す拡大説明図である。
【００４１】
スキャナ部１００の最上部に、原稿を載置するコンタクトガラス１０１が配置されており、その上に圧板１０２が開閉自在に取り付けられている。そのコンタクトガラス１０１の下方に光学走査系１０３が設けられている。コンタクトガラス１０１上に載置された原稿は、その下側の面が光学走査系１０３の露光ランプ１０４によって露光され、その反射光つまり画像光が、光学走査系１０３に設けられている各種ミラー及びレンズ１０５を通って、光電変換デバイスである一次元ＣＣＤカラーイメージセンサ（以下単に「ＣＣＤ」という）１０６の受光面に結像される。
【００４２】
光学走査系１０３は、機械的な駆動系によって図面の左右方向に駆動されるので、原稿面の各部の露光によって得られる画像光が順次１ライン毎にＣＣＤ１０６に読みとられる。この実施例では、ＣＣＤ１０６としてカラーイメージセンサを使用しているので、画像の受光量のＲ，Ｇ，Ｂ成分に応じた３信号によるカラー画像情報を出力する。
【００４３】
このＣＣＤ１０６によって読み取られた画像情報は、後述する画像メモリに一旦記憶されて画像処理を経た後に出力画像データに変換され、プリンタ部２００の書込装置２０１に送出される。
【００４４】
それによって、書込装置２０１から出力画像データに応じて変調されたレーザ光が書込用の光学系を通って射出され、図１０にも明示するように、矢示方向に回転する感光体ドラム２０２の表面を露光（第１露光）する。
その感光体ドラム２０２の表面は、予め第１帯電チャージャ２０３によって全面が均一に所定の高電位に帯電されており、レーザ光の照射を受けると、その光強度に応じて電荷が消失して電位が変化し、画像に対応する電位分布つまり静電潜像が形成される。
【００４５】
感光体ドラム２０２に形成された静電潜像は、それが黒現像ユニット２０４を通過する時に、２段の現像ローラＲ１，Ｒ２（図１０）によって供給される２成分現像剤と接触し、その黒トナーの吸着によって可視化され、黒トナー像を形成する。
【００４６】
次いで、第２帯電チャージャ２０５によって黒画像の形成により減衰した感光体ドラム２０２の表面電位をコロナ放電によって復帰させる。そして、第２露光用のＬＥＤ（発光ダイオード）２０６によって赤画像に対応してＬＥＤが発光し、感光体ドラム２０２上に赤画像の静電潜像を形成する。
そして、赤現像ユニット２０７によって非磁性１成分非接触現像により、先に形成されている黒画像を乱す事なく、赤画像部に帯電した赤トナーを付着させ、赤トナー像を形成する。
【００４７】
一方、給紙カセット２１２又は２１３のうち選択されたものから記録紙（普通紙）が給紙ローラ群２１４又は２１５によって繰り出され、その記録紙はレジストローラ対２１６によって、感光体ドラム２０２上のトナー像の形成タイミングに同期して感光体ドラム２０２の表面に重なるように送り込まれる。
続いて、プラスのバイアス電圧を印加された転写ベルト２０８によって、マイナスに帯電した黒と赤のトナー像を記録紙Ｐ（図１０）に転写する。
【００４８】
その転写後、記録紙Ｐを分離爪２０９によって感光体ドラム２０２から分離させて、転写ベルト２０８によって定着ユニット２１７へ搬送し、その定着ユニット２１７によって記録紙上のトナー像を熱定着する。その後、その記録紙は排紙ローラ群２１８によって排紙トレイ２１９上に排出される。
【００４９】
一方、トナー像の転写及び記録紙の分離後、感光体ドラム２０２の表面の残留トナーをクリーニングユニット２１０のクリーニングブラシＢＫとクリーニングブレードＣＢによってクリーニングし、除電用ＬＥＤ２１１による全面露光と除電チャージャのＡＣコロナ放電によって残留電荷を消去して、次回の画像形成に備える。
【００５０】
また、２２０は手指しトレイであり、給紙カセツト２１２，２１３にセットされている記録紙と異なるサイズや種類の記録紙にコピーしたい場合に、ここからその記録紙を挿入して給紙させることができる。
また、両面コピー又は合成コピーを行なう場合には、定着ユニット２１７から送出される片面コピー済の記録紙を、排紙ローラ群２１８の搬送路切り換えによって再給紙経路２２１へ導き、そこから再び感光体ドラム２０２と転写ベルト２０８との間へ給送する。
【００５１】
図１１は、このデジタル複写機２の操作部の一例を示す平面図である。
この操作部２１は、図で左端部寄りに、図８のアプリケーション部３の機能選択に使用するこの発明に係わるキー群、すなわち採点キー１１，グラフキー１２，表キー１３，出題キー１４，及び登録キー１５が設けられている。
【００５２】
これらの各キーによって、答案用紙を採点する採点モード、一連の採点後あるいは蓄積した採点データのグラフ化又は表化モード、問題用紙を作成する出題モード、新たな問題用紙のデータを登録する登録モードを選択することができる。
そして、出題キー１４によって出題モードが選択されているときにのみ有効になるキー群として、問題受信キー１４ａ，問題分野キー１４ｂ，及び問題数キー１４ｃが設けられている。
【００５３】
３４は図８にも示したＬＣＤであり、これらの各モードにおけるガイダンスや採点結果の点数などを表示する。
この操作部２１には、これらの他に通常のコピーモードでも使用するスタートキー１６とストップキー２７、コピー枚数や問題数等の数値入力用のテンキー１７、液晶タッチパネルを用いた表示・入力部１８、用紙サイズ，濃度，変倍率等の各種選択キー１９を備えている。
【００５４】
採点結果出力時の機能としての合成プリント（解答用紙の画像を黒、採点結果の画像を赤で同時にプリントする）、データの送信／受信、外部記憶装置へのデータ格納あるいはそれからのデータ読み込みなども、各種選択キー１９のいずれかあるいは表示・入力部１８のタッチ入力等によって選択できる。
【００５５】
次に、図８に示した画像処理装置１におけるデジタル複写機２とアプリケーション部３を一体化したデータ処理及び制御系の構成例を図１２に示す。
４０はＣＰＵバスで、図示のように各部をコピー制御用ＣＰＵ２０及びアプリ制御用ＣＰＵ３０に接続している。
【００５６】
このＣＰＵバス４０の上側に並んでいるのが、主としてコピー制御用ＣＰＵ２０によって制御あるいは使用されるデジタル複写機２側の各部であり、前述したスキャナ部１００とプリンタ部２００及び操作部２１の他に、ＲＯＭ２２，ＲＡＭ２３，画像メモリ２４，画像処理部２５，及び通信制御部２６等を備えている。
【００５７】
ＲＯＭ２２は、ＣＰＵ２０あるいはＣＰＵ３０が使用するアプリケーションプログラムやフォントデータなどを格納する固定メモリ、ＲＡＭ２３は入力データのバッファメモリ，ＣＰＵの作業メモリ，認識結果や採点結果等の一時記憶メモリなどに使用されるメモリ、画像メモリ２４はスキャナ部１００で読み取った原稿の画像データ(画像情報)を、画像処理部２５で処理した後記憶するメモリであるが、ＲＡＭ２３の一部を使用してもよい。
画像処理部２５の詳細は後述する。
【００５８】
通信制御部２６は外部のホストコンピュータやパソコン等のデータベース装置５とネットワークを介してデータの授受を行なうための通信を制御する。なお、図示を省略しているが、モデム及び網性御部も備えている。
ＣＰＵバス４０の下側に並んでいるのが、主としてアプリ制御用ＣＰＵ３０によって制御あるいは使用されるアプリケーション部３側の各部であり、バーコード認識部３５，ＯＣＲ部３６，辞書検索部３７及び辞書３８，採点処理部３９，作画部４１，データ記憶部４２，及び外部記憶装置４３等を備えている。
【００５９】
バーコード認識部３５は、スキャナ部１００が読み取った画像データから、解答用紙に印刷されている問題を特定するバーコード、あるいは個々の問題に対する正解を示すバーコード等のバーコードを認識する。
ＯＣＲ部３６は、スキャナ部１００が読み取った画像データから、問題用紙あるいは解答用紙に印刷されている問題の文字や解答欄などの罫線、受験者番号や解答の手書きされた文字，記号又はマークを認識するが、その認識した文字等を辞書検索部３７によって辞書３８を検索して照合する。
【００６０】
採点処理部３９は、この発明の主要な機能である解答用紙の採点及び問題用紙の作成に係る処理を行なうが、その詳細は後述する。作画部４１は、問題用紙データ、採点結果の点数及び各解答の正否を示す○，×，△等のパターン、あるいはさらに正解の文字や記号，注釈等をプリント出力する際に、それを画像情報（イメージデータ）に変換する作画処理を行なう。
【００６１】
データ記憶部４２は、データベース装置から読み込んだ問題データや正解データと配点データ，注釈データ，採点結果及び採点パターン（○，×，△等），ならびに管理データなどを記憶するメモリである。
外部記憶装置４３は、光磁気ディスク装置（ＭＯ），フロッピディスク装置（ＦＤＤ），ハードディスク装置（ＨＤ）等の外部に取り出し可能な記憶媒体にデータを記憶させる記憶装置である。
【００６２】
ここで、この実施例におけるスキャナ部１００による読み取りデータの処理系について、図１３及び図１４によって説明する。
図１３はこのデジタル複写機の制御部の主として画像処理に係わる部分の概略を示すブロック構成図であり、ビデオ処理回路５１，画像処理回路５２，セレクタ５３，ビデオ書込処理回路５４，ＬＤ制御部５５及びＬＥＤ制御部５６等からなり、図１２に示したコピー制御用ＣＰＵ２０によって制御される。
【００６３】
ＣＣＤカラーイメージセンサ１０６とビデオ処理回路５１はスキャナ部１００に属し、ビデオ処理回路５１は、図９に示したＣＣＤカラーイメージセンサ１０６から原稿画像に応じて出力されるＲ，Ｇ，Ｂの各信号をＡ／Ｄ変換して、黒オフセット補正，シェーディング補正，画素位置補正等を行ない、多値の赤画像データＤＲ，緑画像データＤＧ，青画像データＤＢを出力する。
【００６４】
画像処理回路５２は、図１２における画像処理部２５に含まれ、図１４に示すように色分離回路６１，ＭＴＦ補正回路６２，２値化回路６３，変倍回路６４，γ補正回路６５，及び画質処理回路６６からなり、それらによってビデオ処理回路５１から入力される各色の画像データＤＲ，ＤＧ，ＤＢに対して画像処理を施す。この処理については、追って詳細に説明する。
【００６５】
この画像処理回路５２から出力される多値の黒画像データＢＫＤと２値の赤画像データＲＤは画像メモリ２４に一旦記憶され、それが読み出されてセレクタ５３に入力し、通常のコピーモード時にはプリンタ部２００のビデオ書込処理回路へ送られるが、採点モード時にはアプリケーション部３へ送られる。
このセレクタ５３も一部は画像処理部２５に属し、そこで各画像データをビデオ書込処理回路５４へ送る際に、必要に応じて加工（中抜き，影付け，斜体等）や編集（移動，合成等）を行なうことができる。
【００６６】
また、採点結果や問題用紙をプリントする際にはアプリケーション部３から作画部４１で生成された画像データがこのセレクタ５３に入力する。
採点結果を出力する場合は赤画像データＲＤのみであり、画像メモリ２４から読み込まれた解答用紙の黒画像データＢＫＤと合成してビデオ書込処理回路５４へ送出される。問題用紙を出力する場合は黒画像データＢＫＤのみであり、そのままビデオ書込処理回路５４へ送出される。
【００６７】
ビデオ書込処理回路５４は、セレクタ５３から入力される各画像データをプリンタ部２００の書き込み速度に対応できるビデオ信号に変換し、黒画像データＢＫＤに応じてＬＤ制御部５５を制御して、図９に示した書込装置２０１のレーザダイオード（ＬＤ）２２３の発光を変調制御させる。
また、赤画像データＲＤがある場合には、それに応じてＬＥＤ制御部５６を制御して、図９及び図１０に示したＬＥＤ２０６の発光をオン／オフ制御させる。
【００６８】
ここで、ビデオ処理回路５１及び画像処理回路５２における処理についてさらに詳細に説明する。
ＣＣＤカラーイメージセンサ１０６によって読み取られたＲ，Ｇ，Ｂの画像信号は、ビデオ処理回路５１で適正なゲインを与えられてＡ／Ｄ変換され、黒オフセット補正，シェーディング補正，画素位置補正が行なわれ、所定のクロックに同期した８ビットのデジタルデータである赤画像データＤＲ，緑画像データＤＧ，青画像データＤＢとして出力される。
【００６９】
黒オフセット補正とはＣＣＤ１０６の暗電流の黒レベルを画像データから減算する補正である。シェーディング補正とは、主走査方向の露光ランプ１０４（図９）の光量むらやＣＣＤ１０６の各色用センサの画素間の感度差によるむらを除くため、原稿走査開始前に濃度の均一な白板を読み取ってそのデータを各画素毎に記憶し、原稿読み取り中の画像データを記憶した各画素毎の白板のデータで除算することにより補正を行なうことである。画素位置補正とは、ＣＣＤ１０６として３ラインのものを用いた場合、副走査方向の画素の位置ずれがあるため、それを補正することである。
【００７０】
画像処理回路５２は図１４に示すように構成され、ビデオ処理回路５１から出力されるＲＧＢの画像データＤＲ，ＤＧ，ＤＢを、色分離回路６１で多値の黒画像データと赤画像データとに分離して、黒画像データに対しては８ビットのままＭＴＦ補正回路６２でＭＴＦ補正を施し、赤画像データに対しては２値化回路６３で固定しきい値による２値化を行なって１ビットにする。
【００７１】
そして、それぞれ変倍回路６４で主走査方向の電気変倍を行ない、さらにγ補正回路６５でγ補正を行った後、画質処理回路６６でディザや誤差拡散などの画質処理（階調処理）を行なう。
なお、ＭＴＦ補正とは光学的な周波数特性の劣化などを２次元の空間フィルタで補正することである。
【００７２】
この実施例の画像処理装置を通常のコピーモードで使用する際には、図９に示したコンタクトガラス１０１上に原稿を画像面を下向きにしてセットし、図１１に示した操作部２１のテンキー１７によってコピー枚数指定した後（１枚の場合は枚数指定不要）、スタートキー１６を押せば、スキャナ部１００によってその原稿の画像を読み取り、その画像データを画像処理部２５によって上述のような画像処理を施して画像メモリ２４に記憶した後、それをプリンタ部２００で記録紙に指定された枚数だけ画像形成してコピーとして排出する。
この実施例の画像処理装置は２色のカラーコピーを行なうことができるが、その動作は従来の２色デジタル複写機と同じなので、詳細な説明は省略する。
【００７３】
以下、この発明に関するモードである採点モード、グラフ作成モード、問題用紙作成モードにおけるアプリケーション部３の処理について、図１５乃至図２２を用いて説明する。
【００７４】
図１５は、上記各モードの処理フローを記憶データと関連づけて示す図であり、（ａ）は採点モード、（ｂ）はグラフ作成モード、（ｃ）は問題用紙作成モードの各ルーチンの処理フローである。また、図中の画像データは図１２に示した画像メモリ２４に、認識結果データ，作画データ，グラフ作成用データはＲＡＭ２３に、フォントはＲＯＭ２２に、正解（及び配点）データ，注釈データ，採点パターン（○×等），及び管理データはデータ記憶部４２に、それぞれ予め記憶されているか認識あるいは作成後に記憶される。
【００７５】
図１１に示した操作部２１の採点キー１１が押されると採点モードになり、採点したい解答用紙を原稿としてコピーをとる場合と同様に図９に示したコンタクトガラス１０１上に画像面を下向きにしてセットし、スタートキー１６を押せば、スキャナ部１００によってその画像を読み取り、その画像データを画像処理部２５によって画像処理を施して画像メモリ２４に記憶した後、図１５の（ａ）に示す採点モードのルーチンがスタートする。
【００７６】
このルーチンではまず、画像メモリ２４から、今読み取った解答用紙の画像データを読み出して入力し、その画像データに対してＯＣＲ部３６（及びバーコード認識部３５）による認識処理を行う。ここでは、入力した画像データの像域，領域を識別し、行及びそこにある文字（記号やマークも含めて単に「文字」という）の位置を認識する。そして、ＯＣＲ処理によってその各文字（活字及び手書き）や罫線を認識する。
【００７７】
そして、解答用紙（問題用紙）にＩＤ番号が付けられていれば、それを認識してデータ記憶部４２に予め記憶されている多数の問題に対する正解（及び配点）データから、このＩＤが付された解答用紙の各問題に対する正解（及び配点）データを特定して、採点処理時に使用することができる。
【００７８】
また、図１７に示す解答用紙（問題用紙の解答欄に解答が記入されたもの）７０のように、問題を識別するためのＩＤ番号をバーコード７１で印刷してある場合には、バーコード認識部３５によってそのバーコード７１を認識してＩＤ番号を知ることができ、上述の場合と同様にこの解答用紙７０の問題欄７２内の各問題（問１〜問８）に対する正解（及び配点）データを、データ記憶部４２に記憶されているデータから特定することができる。
【００７９】
その正解データは、図１８に示すように正解情報の文字や記号のコード（あるいはパターンやフォントでもよい）とその解答が解答用紙のどの位置にあるかを示す位置情報からなる。
【００８０】
また、ＯＣＲ処理では、図１７に示す解答用紙７０内の番号欄７３の受験者番号及び解答欄７４の解答の文字等の手書き文字も認識する。現在の手書き文字認識技術では、使用できる文字を数字，アルファベット，カタカナや、＋，−等の記号、○，×等のマークなど、認識しやすいものに限定するのが望ましいが、認識技術が向上すればもっと広範な種類の文字の使用も可能である。
【００８１】
これらの認識処理が済むと、その認識結果データを所定フォーマットでＲＡＭ２３に格納する。そして採点処理部３９によってその認識結果の解答に対して、データ記憶部４２に格納されている正解データを用いて採点処理を行なう。
その採点処理では、図１６のフローチャートに示すように、ＲＡＭ２３に格納した解答データを一問ずつ（例えば図１７に示した解答用紙７０の解答欄７４の各問題に対応する１〜８の各欄から認識した解答データを順次）読み込み、その問題に対する正解・配点データを記憶部４２から読み込む。
【００８２】
そして、その解答データと正解データのマッチングをとり、両データが合って（一致して）いるか否かを判断し、合っていれば正解であるので、配点データにより得点を計算する。例えば図１７に示した解答用紙の例で〔問１〕〜〔問４〕の配点が各１０点であれば、〔問１〕に対する解答が正解であれば得点は１０点である。この計算した得点をＲＡＭ２３に加算記憶させる。この時、採点した解答に対する正否の判断結果も記憶させるとよい。
【００８３】
解答データと正解データが合っていなければ、非正解であるからこれらの得点計算及び加算記憶は行なわない。なお、配点が各問題について同じであれば、配点データは一度読み込めば済むので各解答の採点毎に読み込む必要はない。
その後、次の解答データがあるか否かを判断し、あれば最初の解答データ読み込みのステップに戻り、１枚の解答用紙から認識した解答データがなくなるまで上記の処理を繰り返す。解答データがなくなると採点が終了したことになるので、このサブルーチンを抜けて図１５の（ａ）に示したメインルーチンへ戻る。
【００８４】
そして、プリント出力するか否かを判断し、通常はプリント出力するのでＲＡＭ２３に加算記憶させた得点データと、個々の解答に対する正否の判断結果も記憶させている場合はそのデータも、作画部４１へ送り、採点結果をスキャナ部１００で読み取って画像メモリ２４上に格納されている解答用紙の画像上に作画するための作画処理を行なう。
【００８５】
プリント出力する必要がない場合は、採点結果のデータをデータ記憶部４２に管理データとして転送して記憶させ、図１１に示したＬＣＤ３４に所定フォーマットで採点結果（得点など）を表示して処理を終了する。
【００８６】
一方作画処理では、採点結果の点数をＲＯＭ２２内のフォントを用いて数字のイメージに描画し、点数だけでなく、正解，不正解を示すマークもプリントする場合は、○×等の採点パターンもデータ記憶部４２から読み出して、解答欄の各解答位置に対応させて描画する。さらに、非正解の解答に対しては正解の文字や記号、あるいはさらに注釈データもデータ記憶部４２から読み出して描画することもできる。これらの描画にはキャッシュメモリを使用するとよい。
【００８７】
このようにして作画部４１で描画した採点結果のデータを、図１３に示したセレクタ５３に送出すると共に、画像メモリ２４から読み出した解答用紙の画像データと合成し、プリンタ部２００によって同じ記録紙に同時に画像形成して、図１９に示すような採点結果出力紙８０として出力する。
【００８８】
この場合、採点結果出力紙８０は、図１７に示した解答用紙７０と同じ画像が印刷されると共に、得点欄８５に得点が手書き文字のようなパターンで印刷され、解答欄８４の各欄の解答の文字に対して、正解であれば○が、非正解であれば×が手書き風のパターンで印刷される。
【００８９】
その際、解答用紙と同じ画像は黒トナーで印刷し、採点結果である得点及び○と×のパターンは赤トナーで印刷すれば、採点結果が一層判り易く、解答用紙に教師が採点した場合に近いものになる。さらに、非正解の欄には正解の文字等と注釈を赤トナーで印刷をすることもできる。
【００９０】
この印刷色は黒と赤に限らず、図９に示した現像ユニット２０４，２０７を他の色のトナーを使用するユニットに交換すれば、任意の２色で印刷することができる。なお、２色で印刷する場合には、採点結果の描画を解答用紙の画像データに上書きせずに、メモリの別の領域に展開することが必要である。
【００９１】
ところで、図２０に示す問題用紙７０′のように、解答欄７４′の各問題の解答欄１〜８に対して、その近くにそれぞれ正解を暗号化したバーコード７６を印刷しておけば、図１５の（ａ）の認識処理で、バーコード認識部３５でそのバーコードの位置とコードを順次認識してそれから正解を解読することができる。
そのようにすれば、問題を認識する必要がなくなり、一問毎に認識した解答データと解読した正解データとを直ちに比較して（マッチングをとって）、解答の正否を判断することができる。
【００９２】
次に、操作部２１のグラフキー１２を選択するとグラフ作成モードになり、図１５の（ｂ）に示すグラフ作成モードのルーチンがスタートする。
このルーチンでは、まず所望のデータに対するパラメータ、すなわち個人別の複数回のテストの採点結果の履歴や、１回のテストのクラス全員の答案の採点結果のデータ等のグラフ化したいデータを指定するデータ等を、操作部２１から入力するのを受け付ける。
【００９３】
そして、データ記憶部４２の管理データ中の指定されたデータを公知の技術であるグラフ作成処理の所定フォーマットに変換してＲＡＭ２３に展開し、グラフ作成処理を行なう。
その作成したグラフデータをプリンタ部２００へ出力して、例えば図２１に示すようなグラフを記録紙に印刷して出力することができる。
【００９４】
また、操作部２１の表キー１３を選択すると表作成モードになり、上述のグラフ作成モードと同様な手順でグラフ作成処理に代えて表化したいデータについて表作成処理を行なう。それによって、例えば図２２に示すような表を記録紙に印刷して出力することができる。
このようにして、偏差値や履歴等のグラフや表の出力を得ることができる。
【００９５】
次に、操作部２１の出題キー１４を選択すると、問題用紙作成モードになり、図１５の（ｃ）に示す問題用紙作成モードのルーチンがスタートする。
このルーチンではまず、出題に対するパラメータの入力、すなわちどの分野のどのレベルの問題を何題出力するといった問題作成者の所望のデータを操作部２１のから入力させる。例えば、図１１に示す操作部２１の問題分野キー１４ｂを押すと、表示器３４に分野毎の番号（コード）が表示されるので、そのいずれかをテンキー１７で入力することにより、出題分野を指定することができる。
問題数は、問題数キー１４ｃを押した後テンキー１７によって入力する。
【００９６】
そして、問題受信キー１４ａを押すと、指定された分野（及びレベル）の問題を、図８のデータベース装置５に登録されている多数の問題の中から指定された問題数だけランダムに選択して、その問題データを転送させ、ＲＡＭ２３又はキャッシュメモリに入力させる。それを作画部４１によって所定のフォーマットでＲＡＭ２３上に問題作画処理を行なう。
【００９７】
そして、その作画した問題用紙のデータをプリンタ部２００へ送出して記録紙に画像形成して出力させる。それによって、例えば図２０に示した問題用紙と同じような問題用紙を得ることができる。
パラメータ入力時にコピー枚数と同様に必要枚数をセットしておけば、そのセット枚数だけ同じ問題用紙をプリントする。
【００９８】
パラメータ入力の際、ジョブシートの読み取りによる入力方法を用いることもできる。その場合には、スキャナ部１００でセットされたジョブシートの画像を読み取り、その画像データから採点モード時の認識処理と同様に記載された文字やバーコードを認識してコードデータに変換し、そのコードにマッチングするコードが付けられた問題データをデータ記憶部４２からランダムに指定数だけ選択してＲＡＭ２３に展開する。このとき、解答データと同様に問題データも圧縮されて格納されており、メモリに展開される際にデコードされる。
【００９９】
データ記憶部４２には、外部記憶装置４３あるいは外部のデータベースから通信制御部２６によって、必要な問題データを予め取り込んで格納しておくこともできる。
その場合、外部記憶装置４３の記憶媒体又は外部データベース装置に多数の問題がランク分けして登録されている場合には、それを読み込んで、データ記憶部４２にランク別に記憶させる。
【０１００】
または、個人あるいはグループ別に採点結果の情報を管理することにより、受験対象者がどのレベルに所属したり、どのジャンルの問題の正解率が低いか等の情報を集計し、個人あるいはグループを指定することによってそのレベルを判定し、そのレベルに対応するランクの問題を選択して出題した問題用紙を作成することもできる。
これらの、出題した各問題を問題用紙のデータとして外部記憶装置４３の記憶媒体に登録して記憶させるようにしてもよい。
【０１０１】
また、操作部２１の登録キー１５を選択することにより、問題用紙登録モードになり、新らたな問題用紙がスキャナ部１００にセットされてスタートキー１６が押されると、採点モードの場合と同様にその画像データを読み取って画像メモリ２４に一旦格納し、その画像データに対してＯＣＲ部３６により活字認識及び罫線認識を行い、所定のデータフォーマットに変換し、それをＲＡＭ２３上の認識結果データ領域に格納し、それをデータ記憶部４２に登録する。
【０１０２】
このテキスト形式のデータを外部記憶装置４３のフロッピディスクや光磁気ディスク等の記憶媒体に格納して、それをパソコン等に装填して格納したデータを取り込ませたり、ネットワークを介して直接パソコン等に取り入れて解答データを作成して、その解答データをデータ記憶部４２の登録データに追加することもできる。
【０１０３】
また、編集機能のマーカー認識を利用するか、圧板１０２がデジタイザになっている場合にはそれを利用して、正解を記入した問題用紙の読み取り画像データから解答部と問題部を区別して認識することにより、パソコン等による編集操作なしで新規の問題用紙とその各問題の正解データを登録することができる。
そして、これらの新たに登録した問題用紙のデータ（正解データは除く）をプリンタ部２００で記録紙に画像形成して問題用紙として所要枚数プリントすることもできる。
【０１０４】
ところで、図９に示したデジタル複写機２には自動原稿給送装置（ＡＤＦ）を備えていないため、採点時には解答用紙を一枚ずつ圧板１０２を開閉してコンタクトガラス１０１に載置し、取り出す作業が必要になるが、ＡＤＦを装備しておけば、多数枚の解答用紙をその原稿トレイ上に一度にセットしてスタートキー１６を押すだけで、その解答用紙が一枚ずつ自動的にコンタクトガラス１０１上に給送され、その画像が読み取られた後排出される。したがって、沢山の解答用紙の採点も人手を要さずに短時間で完了することができる。
【０１０５】
次に、この発明の他の実施例に用いるデジタル複写機について説明する。
図２３は、そのデジタル複写機の機構部の構成図であり、スキャナ部とプリンタ部を小型の筐体内に紙の搬送路を共通にして組み込んだものであって、画像を読み取った原稿を所要のタイミングで作像部へ搬送して、その画像面上に重ねて新たな画像を形成することができるように構成されている。
【０１０６】
このデジタル複写機８は、記録紙（転写紙）や原稿を搬送するための給紙搬送部分としてカセット給紙装置８１，レジストローラ対８２，手差し給紙装置８３，読込タイミングローラ対８５，分岐ガイド８６、画像を形成して記録紙に転写するための作像部分としてドラム状の感光体８７，帯電チャージャ８８，レーザ光学系８９，現像装置９０，転写チャージャ９１をそれぞれ備えている。
【０１０７】
また、転写されたトナー像を記録紙上に固定させるための定着装置９２と、定着された記録紙を排出するための排紙ローラ対９３及び排紙トレイ９４と、感光体８７上の残留トナーを除去するためのクリーニング装置９５と、原稿の画像情報を読み取るためのＣＣＤラインセンサ等による画像読取部９６と、原稿を排出するための原稿排紙トレイ９７とを備えている。
【０１０８】
そして、読込タイミングローラ対８５から排紙ローラ対９７までの搬送路は、原稿と記録紙の共通の搬送路であり、その同一搬送路上に、搬送される紙（記録紙又は原稿）に作像を行なう作像部の転写部位（感光体８７と転写チャージャ９１とが対向する部位）と、その上流側で搬送される原稿上の画像を読み取る画像読取部９６とを配設している。
このデジタル複写機８に、前述の実施例と同様に採点処理及び問題作成等を行なうためのアプレケーション部３を接続するかあるいは一体に組み込んで、この発明による画像処理装置を構成する。
【０１０９】
ここで、まずこのデジタル複写機８による画像形成動作を説明する。
画像形成動作がスタートすると、カセット給紙装置８１からレジストローラ対に向けて記録紙（転写紙）を給送し、その先端を停止しているレジストローラ対８２に突き当てた状態で停止させてスキュー補正を行なう。
【０１１０】
また、ビデオデータが１ページ分以上作成された状態で、感光体８７を矢示方向へ回転し、帯電チャージャ８８によって帯電された表面に、レーザ光学系８９によってビデオデータに応じて変調されたレーザビームをドラム軸方向に主走査しながら照射して露光し、静電潜像を形成する。その静電潜像を現像装置９０からのトナーによって可視像化し、そのトナー像を所定のタイミングでレジストローラ対８２によって給送される記録紙に転写チャージャ９１によって転写する。
【０１１１】
その後、トナー像が転写された記録紙を感光体８７から剥離して定着装置９２へ搬送し、そこでトナー像を記録紙に熱定着した後、排紙ローラ対９３によって排紙トレイ９４上に排紙する。一方、トナー像転写後の感光体８７上に残留されたトナーをクリーニング装置９５によって除去し、次の画像形成に備える。
【０１１２】
なお、上述の画像形成動作はカセット給紙装置８１から給紙される記録紙に対してばかりではなく、手差し給紙装置８３から給紙される手差しの記録紙、あるいは作像面の一部などに既に画像が形成されている原稿に対しても同様に行なわせることができる。
【０１１３】
次に、画像処理装置８による原稿の画像読み取り動作を説明する。
画像読み取り動作がスタートすると、手差し給紙装置８３から画像読取部９６に向けて原稿を給送し、その先端を停止している読み込みタイミングローラ対８５に突き当ててスキュー補正を行なう。
その後、読み込みタイミングローラ対８５によってタイミングを取って、その原稿を画像読取部９６のＣＣＤラインセンサ等による読取面に沿って搬送し、その下側の面の画像情報を画像読取部９６によって読み取る。
【０１１４】
画像情報が読み取られた原稿はそのまま搬送が継続され、搬送路上に設けた回動可能な分岐ガイド８６が実線で示す切り換え位置にあるときには、原稿排紙トレイ９７に導かれて機外へ排出される。分岐ガイド８６が仮想線で示す切り換え位置にあるときには、その原稿が転写部へ送り込まれ、画像情報が読み取られた面（下側の面）に新たな画像を形成して排紙トレイ９４に排出することもできる。
【０１１５】
なお、もし大量の原稿がある場合には、カセット給紙装置８１にその原稿を収納して、そこから各原稿を画像読取部９６の読取面へ順次給送してその各画像を読み取らせ、その後さらに作像部へ搬送して任意の画像を作像させるようにすることもできる。
【０１１６】
そこで、この画像処理装置８によって採点モードの処理を行なう場合、テスト後に回収した図１７に示したような解答用紙を、カセット給紙装置８１にまとめてセットするか手差し給紙装置８３に一枚ずつ挿入して順次給送し、読み込みタイミングローラ対８５によってタイミングを取って、画像読取部９６のＣＣＤラインセンサ等による読取面に沿って搬送し、その画像面の画像情報を画像読取部９６によって読み取る。
【０１１７】
この時、分岐ガイド８６は図に実線で示す位置にあり、画像情報を読み取った解答用紙を、レジストローラ対８２によって原稿排紙トレイ９７に排出するが、その答案用紙の後端部をレジストローラ対８２によって挾持した状態で一端停止する。
【０１１８】
その後、前述の実施例における採点モードの場合と同様に、画像読取部９６で読み取った後画像メモリに記憶した解答用紙の画像データから認識した各問題の解答について採点処理を行ない、その採点結果の得点及び解答の正否を示す○と×のマークを描画し、その画像データによって感光体８７の表面にトナー像を形成する。
【０１１９】
その間にレジストローラ対８２を逆転させて、原稿排紙トレイ９７上に排出した解答用紙を再び画像読取部９６側へ搬送する。そして、分岐ガイド８６を仮想線で示す位置に切り換えて、レジストローラ対８２を再び正転させ、その答案用紙を感光体８７と転写チャージャ９１が対向する転写部へ搬送する。
【０１２０】
そこで、その解答用紙の画像面の所定の位置に感光体８７上に形成されたトナー像を転写し、それを定着装置９２によって熱定着した後、排紙トレイ９４上に排紙する。それによって、解答用紙に直接採点結果の得点及び各解答の正否に応じた○×のマークを印刷でき、図１９に示した採点結果出力紙８０と同様な採点結果が出力されることになる。
しかも、新たな記録紙を使用しないので資源の節約になるばかりか、受験者にとっても自分の解答用紙自体に採点されて戻された方が好ましい。
【０１２１】
この場合、採点処理を極めて短時間で行なえるか、あるいは画像読取部９６とレジストローラ対８２との距離が答案用紙の長さ以上あるようにして、画像読取部９６によって解答用紙の後端部までその画像を読み取った後、レジストローラ対８２にその解答用紙の先端部をくわた状態で一時待機できるようにすれば、読み取り後の解答用紙を一旦原稿排紙トレイ９７に排出せずに、そのまま感光体８７と転写チャージャ９１が対向する転写部へ搬送して、採点結果を印刷することができる。
【０１２２】
あるいは、定着装置９２を出た紙を再びレジストローラ対８２の前に戻す循環搬送路を設け、画像読み取り後の解答用紙をそのまま転写部及び定着装置９２を単に通過させて搬送した後、レジストローラ対８２の前に戻し、所定のタイミングで再度転写部へ給送して採点結果を印刷させるようにすれば、採点及びその結果の作画処理に多少時間がかかっても問題がない。
【０１２３】
また、現像装置９０として任意のトナー色のユニットを着脱できるようにし、採点時には、例えば赤トナーの現像ユニットを装着しておくようにすれば、解答用紙は通常黒で印刷され、受験者は鉛筆書きの黒に近い色で解答を記入するが、その上に赤色で採点結果が印刷されるようになり、一般の教師による赤ペンによる採点と同様なものになる。
【０１２４】
さらに、前述の実施例のデジタル複写機２と同様に２色のカラーコピーが可能なプリンタ部、あるいはフルカラーコピーが可能なプリンタ部を備える場合には、画像読取部にもカラーイメージセンサを設けるので、解答用紙の読み取り画像データから、その画像の色を識別し、その識別した色と異なる色で採点結果をその解答用紙の画像面に重ねて印刷すればよい。
【０１２５】
次に、この発明による問題用紙作成に係わる機能について、さらに具体的に説明する。
図８におけるデータベース装置５のシステム構成例を図２４に示す。このデータベース装置のシステム構成は、デジタル複写機の構成とほぼ同じである。
【０１２６】
すなわち、問題用紙や正解（模範解答）を記載した用紙を読み込むためのスキャナ部５０１、登録した問題や正解情報を紙に印字して確認するためのプロッタ部５０２、読み込んだ画像情報の内容（問題や正解）を認識するための辞書５０３、外部にファクシミリ通信によって問題や正解情報を送信するための通信制御部５０４、その通信データを圧縮／伸長するためのモデム５０５、回線に接続されて発呼や着呼制御を行う網制御部５０６を備えている。
【０１２７】
さらに、この発明に係わる各種制御を行ない、さらに所定のデータベース制御を行うためのシステム制御部５０７、問題登録や正解登録を行うときにオペレータとのインタフェースとなる操作表示部５０８、画像の読み書き時に画像データを一旦蓄積するための画像メモリ５０９、多数の問題を登録しておくための問題登録メモリ５１０、その各問題に対する正解情報を蓄積しておくための正解情報メモリ５１１、及びこれらを接続するバス１５２から構成されている。
各メモリ５０９〜５１１は、共通の大容量メモリを領域を分けて使用するようにしてもよい。
【０１２８】
図２５は、このデータベース装置５の操作表示部５０８であるオペポートの構成例を示す。この操作表示部５０８も、図１１に示したデジタル複写機の操作部２１と同様に、スタートキー５１３，ストップキー５１４，テンキー５１５，及び液晶による表示器５１６を備えている。
また、このデータベース装置は、予め登録されている問題を送信する機能以外に、スキャナ部５０１によって新たな問題及びその正解を読み取って登録することができるように、問題登録キー５１７及び解答登録キー５１８が装備されている。
【０１２９】
図２６にこのデータベース装置の処理フローを示す。
この処理を開始すると、ステップ１〜３で問題登録キーがＯＮされたか、解答登録キーがＮＯされたか、ＦＡＸで問題送信の通知があったかを順次チェックし、否かを判断し、問題登録キーがＯＮされるとステツプ４で問題登録モードを設定し、解答登録キーがＮＯされるとステツプ５で解答登録モードを設定し、ＦＡＸで問題送信の通知があるとステップ６で問題送信モードとなって、受信信号によって指定された情報を記憶する。
【０１３０】
問題登録モード又は正解登録モードを設定するとステツプ７ー進んで、スキャナ部５０１の原稿台上に原稿（問題用紙又は正解を記入した用紙）が有るか否かをチェックし、無ければ用紙がセットされるまで待ち、有ればステップ８でスタートキー５１３のＯＮを待つ。
その後、オペレータによってスタートキーが押される（ＯＮになる）と、スキャナ部５０１によって原稿の画像を読み取って画像メモリ５０９に記憶する。
【０１３１】
そして、ステツプ１０でモードを判断し、問題登録モードであればステツプ１１へ進んで、画像の内容を認識して問題登録メモリ５１０に登録する。その際、問題の分野（科目）あるいは難易度（ランク）が認識された場合には、その分野あるいは難易度別に登録する。
解答登録モードであればステツプ１２へ進んで、画像の内容を認識して正解情報メモリ５１１に登録する。
【０１３２】
次いで、ステツプ１３でモード解除か否かを判断し、モード解除でなければステップ７へ戻って上述の処理を繰返し、複数枚の原稿の問題又は正解情報を順次読み取って登録することができる。ステツプ１３で他のキーが押されたかステツプ７又は８での待ち時間が設定時間を越えたときにはモード解除と判断し、ステツプ１４へ進んで設定モードを解除して処理を終了する。
【０１３３】
なお、図２０に示した問題用紙７０′のように、バーコード等による正解情報も含んだ問題用紙のデータを読み取って登録する場合には、別に正解情報を登録する必要はない。
【０１３４】
一方、ステツプ６で問題送信モードになった場合には、ステツプ１５で指定された問題数をカウンタにセットし、ステツプ１６で問題登録メモリ５１０に登録されている指定された分野の問題をランダムに読み出して、問題送信の通知を送信してきた画像処理装置にＦＡＸ送信する。その際、その送信する問題に正解情報が含まれていない場合には、その問題に対応する正解情報も正解情報メモリ５１１から読み出して一緒に送信するのが望ましい。
【０１３５】
問題送信後、ステップ１７でカウンタのカウント値をデクリメント（−１）して、ステツプ１８でそのカウント値をチェックする。そして、カウント値が０でなければステツプ１６へ戻って問題の送信を繰返し、その送信毎にカウント値をデクリメントして、そのカウント値が０になると指定された問題数だけ問題を送信したことになるので、ステツプ１４へ進んで設定モード（問題送信モード）を解除して処理を終了する。
【０１３６】
図２７は図８に示した画像処理装置１である問題作成機能を持つデジタル複写機側の構成例を示すブロック図であり、問題用紙の作成に係わる部分を判り易く示したもので、図１２と対応する部分には同一符号を付してある。
【０１３７】
この画像処理装置は、図１２に示したスキャナ部１００，プリンタ部２００，辞書３８，通信制御部２６，コピー制御用ＣＰＵ２０とアプリ制御用ＣＰＵ３０に相当するシステム制御部３００，操作部２１，画像メモリ２４，ＣＰＵバス４０及び外部記憶装置４３を備えている。
通信制御部２６は、モデム２６ａ及び網制御部２６ｂを介して、ＦＡＸプロトコルにより前述したデータベース装置に対して問題送信の要求を通知し、データベース装置から送信される問題及び正解のデータを受信する。
【０１３８】
図１２におけるデータ記憶部４２は、その機能別に分けて、問題登録メモリ４２ａ，正解情報メモリ４２ｂ，成績管理メモリ４２ｃ，及び解答内容メモリ４２ｄとなっている。
【０１３９】
問題登録メモリ４２ａは、問題登録モード時にスキャナ部１００で読み取った問題を登録したり、問題受信モード時にデータベース装置から受信した問題を記憶する。正解情報メモリ４２ｂは、問題登録モード時にスキャナ部１００で読み取った正解情報を登録したり、問題受信モード時にデータベース装置から受信した正解情報を記憶する。
成績管理メモリ４２ｃは、採点モード時に解答用紙の採点結果を個人別あるいはグループ別に蓄積記憶する採点結果記憶手段である。解答内容メモリ４２ｄは、採点モード時にスキャナ部１００によって読み取った解答用紙の解答内容を記憶する。
【０１４０】
図２８は、図２７における操作部２１の問題用紙作成に係わる部分を判り易く示したものてあり、図１１と対応する部分に同一符号を付してある。すなわち、スタートキー１６，ストップキー２７，テンキー１７，ＬＣＤ表示器３４と、問題受信キー１４ａ，問題分野キー１４ｂ，及び問題数キー１４ｃを備えている。
【０１４１】
図２９は、この画像処理装置での問題受信モードでの問題用紙作成処理のフローチャートである。
この処理を開始すると、問題受信キー１４ａがＯＮになったか否かを判断し、ＯＮでなければ他のモードの処理を行なうが、ＯＮになると問題受信モードを設定する。
【０１４２】
そして、問題分野キーが押される（ＯＮになる）と、図３０に示すような問題分野（科目）選択用画面をＬＣＤ表示器３４に表示する。その後、テンキー１７による分野番号（図３０の例では、理科：１０，社会：１１，算数：１２）の入力を待ち、それれが入力されるとその問題分野を記憶する。
【０１４３】
次に、問題数キー１４ｂが押される（ＯＮになる）と、図３１に示すような問題数指定用画面をＬＣＤ表示器３４に表示する。そこでテンキー１７による問題数の入力を待ち、それが入力されるとその問題数を記憶し、図３２に示すような電話番号入力用画面をＬＣＤ表示器３４に表示する。
【０１４４】
そして、テンキー１７によって電話番号が入力されるとそれを記憶し、スタートキー１６がＯＮになると、記憶した電話番号のデータベース装置に発呼する。
回線が接続されると、ＦＡＸプロトコルによって問題送信の要求を通知すると共に、先に記憶した問題分野及び問題数を指定する。
【０１４５】
その後、データベース装置から送信される問題（あるいは解答情報も）受信して、問題登録メモリ４２ａに記憶する。
問題受信が終了すると、受信した指定数の問題による問題用紙データの作画処理を行ない、そのデータによって問題用紙をプリント出力して処理を終了する。
【０１４６】
図３３は上述したデータベース装置と画像処理装置（デジタル複写機）間でのＦＡＸ通信プロトコルを示す。画像処理装置側から発呼してポーリング受信モードになり、ＮＳＣで問題分野と問題数を指定し、被呼側のデータベース装置からＰＩＸで画情報データのまま送信される問題データを受信できる。
このＦＡＸ通信プロトコルにより、発呼側と被呼側との間で送受される各信号は公知であるが、ここで簡単に説明する。
【０１４７】
ＣＮＧは発呼側から最初に送信される１１００Ｈｚの信号、ＣＥＤは被呼側がＣＮＧを受信した時最初に送信する２１００Ｈｚの信号である。
ＤＩＳとＮＳＦは、被呼側からＣＥＤに続いて送信されるフレームに構成されたディジタル識別信号であり、ＤＩＳは被呼端末がＣＣＩＴＴ標準の受信機能を有することを示す。ＮＳＦはＴシリーズ勧告の範囲外にある特定の利用者の要求を識別するため、少なくとも２オクテットのＦＩＦを持つ非標準機能識別信号である。
【０１４８】
ＮＳＣは、ＮＳＦ信号に含まれる情報に対して発呼側から応答するディジタルの非標準機能命令信号である。
ＮＳＳは、ＮＳＣ信号又はＮＳＦ信号で示される非標準機能の中から設定される機能を示す非標準機能設定信号である。
【０１４９】
ＴＣＦは、ファクシミリメッセージを受信するモデムのトレーニングを確かめ、この伝送速度でチャンネルが使用できるかどうかをチェックするトレーニングチェック信号である。
ＣＦＲは、メッセージを送る前の手順が完了し、メッセージ送出を開始してよいことを示す受信準備確認信号である。
【０１５０】
ＰＩＸはファクシミリ画情報データ（メッセージ）、ＥＯＰは送信すべきファクシミリ画情報のページ終了と他に送信ドキュメントのないことを示す手順終了信号である。
ＭＦＣはＥＰＯの肯定応答で、メッセージが完全に受信されたことを示すメッゼージ確認信号である。ＤＣＮはフェーズＥの開始を示し、応答を必要としない切断命令信号である。
【０１５１】
図３４は、この実施例におけるデータベース装置側から送信するＮＳＦの一例を示し、この信号中に問題送信可能を示す‘１０’、問題分野が理科であることを示す‘１０’、問題数が１００問あることを示す‘０１００’を含めている。
図３５は、この実施例における画像処理装置側から送信するＮＳＣの一例を示し、この信号中に問題受信希望を示す‘１１’、問題分野として理科を指定する‘１０’、問題数として１０問希望することを示す‘１０’を含めている。
【０１５２】
図３６は、このＮＳＣに応答してデータベース装置側から送信するＮＳＳの一例を示し、この信号中に問題送信を示す‘１２’、指定された問題分野が理科であることを示す‘１０’、１０問送信することを示す‘１０’を含めている。
このように、画像処理装置はＮＳＣ信号を使って希望する問題分野（科目）や問題数をデータベース装置に通知でき、またデータベース装置もこのＮＳＣ信号を解析して送信すべき問題を検索して送信することができる。
【０１５３】
図３７は、データベース装置に多数の問題が分野(科目)別及びランク(難易)別に登録されている状態の例を示す。この場合は、各問題はランク別に登録されていているので、指定されたランク(容易又は難問)別に問題の送信が可能である。
その場合の画像処理装置側の処理は、図２９のフローチャートに示した処理とほぼ同様であるが、希望する問題のランクを指定できるため、図２９における問題数記憶と電話番号入力用画面表示との間に、図３８に破線で囲んで示す処理を挿入する。
【０１５４】
すなわち、図３９に示すような難易度（ランク）指定用画面をＬＣＤ表示器３４に表示する。そこでテンキー１７による難易コード（容易：２０，難問：２１）の入力を待ち、それが入力されるとその難易度を記憶した後、電話番号入力用画面を表示する。
また、図２９における問題送信の要求を通知する際に、問題分野及び問題数と共に難易度（ランク）を指定する。
【０１５５】
図４０は、その場合にデータベース装置側から送信するＮＳＦの一例を示し、この信号中に問題送信可能を示す‘１０’、問題分野が理科であることを示す‘１０’、問題数が５問あることを示す‘０００５’及びその問題のランクが容易であることを示す‘２０’と、問題数が５問あることを示す‘０００５’及びその問題のランクが難問であることを示す‘２１’とを含めている。
【０１５６】
図４１は、このＮＭＳＦに対して画像処理装置側から送信するＮＳＣの一例を示し、この信号中に問題受信希望を示す‘１１’、問題分野として理科を指定する‘１０’、問題数として５問希望することを示す‘０５’、問題のランクとして難問を希望する‘２１’を含めている。
【０１５７】
図４２は、このＮＳＣに応答してデータベース装置側から送信するＮＳＳの一例を示し、この信号中に問題送信を示す‘１２’、問題分野の指定が理科であることを示す‘１０’、５問送信することを示す‘１０’、及びその問題のランクが難問であることを示す‘２１’を含めている。
【０１５８】
図４３は、図２７に示した画像処理装置で前述したように解答用紙を採点した後、その採点結果のデータを成績管理メモリ４２ｃへ格納する形式を示す成績管理テーブルである。学年というグループ又は受験者個人ごとに、各回のテストの成績が格納されて蓄積されていく。
【０１５９】
各受験者には予め名前コードを決めておき、解答用紙に名前と共にそのコードれを記載させることにより、解答内容と同時にその名前コード（図４３に示す例では１０１，１０２，２０１，２０２等）を読み取ることができる。
そして、各個人及び各クループ毎に平均点を求め、Ａ〜Ｃのランク付けをすることができる。
【０１６０】
図４４は、画像処理装置がこの成績管理テーブルをチェックして出題レベルを決める判定基準である。図４３に示した成績管理テーブルで、ＡまたはＢランクの個人あるいはグループに対する出題レベルは「難問」とし、Ｃランクの個人あるいはグループに対する出題レベルは「容易」とする。したがって、Ｂランクとなっている人がデータベース装置に問題受信を希望した場合には、自動的に「難問」が選択され、Ｃランクとなっている人の場合には「容易」が選択される。
【０１６１】
この場合の画像処理装置の処理も、図２９のフローチャートに示した処理とほぼ同様であるが、図２９における問題数記憶と電話番号入力用画面表示との間に、図４５に破線で囲んで示す処理を挿入する。
すなわち、図４６に示すような名前（コード）指定用画面をＬＣＤ表示器３４に表示する。そこでテンキー１７による名前コード（１０１，１０２等）の入力を待ち、それが入力されるとその名前コードを記憶した後、その名前に対する図４３の成績管理テーブルを参照してレベルを判定し、出題する問題の難易度を図４４に示した判定基準によって自動的に決定する。その後に図３２に示した電話番号入力用画面を表示する。
【０１６２】
なお、個人指定に換えて、１年，２年等のグループを指定するようにしてもよい。その場合はグルーブ毎にコード番号を付けておくとい。
また、図２９における問題送信の要求を通知する際に、問題分野及び問題数と共に上述の処理によって名前又はグループ名から自動的に決定した難易度（ランク）を指定する。
【０１６３】
なお、図２７に示した画像処理装置は外部記憶装置４３を備えており、データベースから受信した問題、およびそれに基づいて作画した問題用紙のデータをその外部記憶装置に格納して保存することも可能である。
【０１６４】
【発明の効果】
以上説明してきたように、この発明の画像処理装置によれば、各種テストの問題用紙を、問題数と必要に応じて分野等を指定するだけで誰でも迅速且つ簡単に作成することができ、学習者が自分で問題用紙を作成して自己テストを行なうことも容易になる。
【０１６５】
さらに、自動採点機能も持っているので、問題用紙に解答を書き込ませた解答用紙をスキャナ部にセットするだけで、その採点も自動的に行なうことができる。
しかも、デジタル複写機に問題用紙作成機能及び自動採点機能を持たせたているので、通常は複写装置として使用でき、必要に応じて問題作成あるいは解答用紙の自動採点も行なうことができるので、専用の装置を設ける必要が無くなり、設備費用を低減でき、デジタル複写機の可動率を高めることもできる。
【０１６６】
さらに、そのデジタル複写機にはスキャナ部を備えているので、それを利用して新たな問題を読み取って登録する機能を持たせることもでき、そうすればデータベース装置から問題を読み込まなくても、この画像処理装置自体で多数の問題を登録しておき、それを利用して問題用紙を作成することができる。
データベース装置に登録されている問題と画像処理装置自体で登録した問題の両方を利用して、新たな問題用紙を作成することも可能である。
それらの問題や作画した問題用紙のデータを外部記憶装置に格納して保存しておけば、必要応じて過去に出題したのと同じ問題用紙をいつでも簡単に作成することができる。
【０１６７】
自動採点機能を備えた各画像処理装置において、その採点結果の正否を表わす〇，×，△等のパターン及び点数をを各人の解答用紙上に問題や解答とは異なる色で画像形成して出力するようにすれば、人手による採点結果と同様な体裁の採点済み解答用紙を受験者に戻すことができ、受験者がそれを参照しやすくなる。
【図面の簡単な説明】
【図１】  この発明による画像処理装置の問題作成機能のみを有するシステムの構成例を示す機能
ブロック図である。
【図２】  この発明による画像処理装置の問題作成機能のみを有するシステムの他の構成例を示す
機能ブロック図である。
【図３】  図１又は図２におけるデータベース装置５，５′の構成例を示す機能ブロック図である
。
【図４】  この発明による画像処理装置の構成例を示す機能ブロック図である。
【図５】  この発明による画像処理装置の他の構成例を示す機能ブロック図である。
【図６】  この発明による画像処理装置の問題用紙作成機能部の他の構成例を示す機能ブロック図
である。
【図７】  この発明による画像処理装置の問題用紙作成機能部のさらに他の構成例を示す機能ブロ
ック図である。
【図８】  この発明による画像処理装置のハード構成例をブロック図である。
【図９】  図８におけるデジタル複写機２の機構部の構成例を示す図である。
【図１０】  同じくそのプリンタ部２００の感光体ドラム回りの画像形成作用を示す拡大説明図であ
る。
【図１１】  同じくこのデジタル複写機２の操作部の一例を示す平面図である。
【図１２】  図８に示した画像処理装置１におけるデジタル複写機２とアプリケーション部３を一体
化して、そのデータ処理及び制御系の構成を示すブロック図である。
【図１３】  同じくそのスキャナ部１００による読み取りデータの処理系を抽出して示すブロック図
である。
【図１４】  図１３における画像処理回路５２の構成例を示すブロック図である。
【図１５】  この実施例のアプリケーション部３による各モードの処理フローを記憶データと関連づ
けて示す図である。
【図１６】  図１５の（ａ）に示す採点モードにおける採点処理のサブルーチンのフロー図である。
【図１７】  この実施例で使用する解答用紙（問題用紙に解答を記入したもの）の一例を示す図であ
る。
【図１８】  正解情報の記憶フォーマットの一例を示す説明図である。
【図１９】  採点結果を図１７に示した解答用紙の画像と重ねてプリント出力した採点結果出力紙の
例を示す図である。
【図２０】  この実施例で作成する問題答案用紙の例を示す図である。
【図２１】  採点データのグラフ化の一例を示す図である。
【図２２】  採点データの表化の一例を示す図である。
【図２３】  この発明の他の実施例に用いるデジタル複写機の機構部の構成図である。
【図２４】  図８におけるデータベース装置５のシステム構成例を示すブロック図である。
【図２５】  図２４における操作表示部５０８の一例を示す平面図である。
【図２６】  図２４のデータベース装置による処理のフローチャートである。
【図２７】  図８における画像処理装置１の構成例を判り易く示すブロック図である。
【図２８】  図２７における操作部２１の問題用紙作成に係わる部分を判り易く示す平面図である。
【図２９】  図８の画像処理装置による問題受信モードでの問題用紙作成処理のフローチャートであ
る。
【図３０】  図２９の処理中に表示する問題分野選択用画面の例を示す図である。
【図３１】  同じく問題数指定用画面の例を示す図である。
【図３２】  同じく電話番号入力用画面の例を示す図である。
【図３３】  図２４に示したデータベース装置と図２７に示した画像処理装置との間でのＦＡＸ通信
プロトコルを示す図である。
【図３４】  データベース装置側から送信するＮＳＦの構成例を示す説明図である。
【図３５】  画像処理装置側から送信するＮＳＣの構成例を示す説明図である。
【図３６】  ＮＳＣに応答してデータベース装置側から送信するＮＳＳの構成例を示す説明図である
。
【図３７】  データベース装置に多数の問題が分野別及びランク別に登録されている例を示す説明図
である。
【図３８】  出題する問題のランクを指定できる場合の画像処理装置側の処理において図２９のフロ
ーチャートに追加する処理部分を示すフローチャートである。
【図３９】  図３８の処理中に表示される難易度（ランク）指定用画面の例を示す図である。
【図４０】  この場合にデータベース装置側から送信するＮＳＦの構成例を示す説明図である。
【図４１】  同じく画像処理装置側から送信するＮＳＣの構成例を示す説明図である。
【図４２】  同じくそのＮＳＣに応答してデータベース装置側から送信するＮＳＳの構成例を示す説
明図である。
【図４３】  図２７に示した成績管理メモリ４２ｃに採点結果を格納する際の成績管理テーブルの例
を示す説明図である。
【図４４】  図４３の成績管理メモリを参照して出題レベルを決めるための判定基準の例を示す説明
図である。
【図４５】  出題する問題のランクを自動決定できる場合の画像処理装置側の処理において図２９の
フローチャートに追加する処理部分を示すフローチャートである。
【図４６】  図４５の処理中に表示される名前（コード）指定用画面の例を示す図である。
【符号の説明】
１，１′：画像処理装置    ２，８：デジタル複写機    ３：アプリケーション部
５，５′：データべース装置    ６：外部記憶装置    ７，７′：問題用紙作成装置
１１：採点キー    １２：グラフキー    １３：表キー      １４：出題キー
１４ａ：問題受信キー    １４ｂ：問題分野キー    １４ｃ：問題数キー
１５：登録キー    １６：スタートキー    １７：テンキー    １８：表示・入力部
１９：各種選択キー群    ２０：コピー制御用マイクロコンピュータ（ＣＰＵ）
２１：操作部    ２２：ＲＯＭ    ２３：ＲＡＭ    ２４：画像メモリ
２６：通信制御部    ２６ａ：モデム    ２６ｂ：網制御部
３０：アプリ制御用マイクロコンピュータ（ＣＰＵ）    ３１：アプリ制御部
３２：アプリベースボード    ３３：ＩＣカード    ３４：アプリ専用表示器（ＬＣＤ）
３５：バーコード認識部    ３６：ＯＣＲ部    ３７：辞書検索部    ３８：辞書
３９：採点処理部    ４０：ＣＰＵバス    ４１：作画部        ４２：データ記憶部
４２ａ：問題登録メモリ    ４２ｂ：正解情報メモリ    ４２ｃ：成績管理メモリ
４３：外部記憶装置    ５１：ビデオ書込回路    ５２：画像処理回路
５３：セレクタ      ５４：ビデオ書込処理回路    ５５：ＬＤ制御部
５６：ＬＦＤ制御部    ７０：解答用紙      ７０′：問題用紙
８０：採点結果出力紙    １００：イメージスキャナ（スキャナ部）
１０６：ＣＣＤカラーイメージセンサ    ２００：レーザプリンタ（プリンタ部）
２２３：レーザダイオード    ３００：システム制御部    ５０１：スキャナ部
５０２：プリンタ部    ５０３：辞書    ５０４：通信制御部    ５０５：モデム
５０６：網制御部    ５０７：システム制御部    ５０８：操作表示部
５０９：画像メモリ    ５１０：問題登録メモリ    ５１１：正解情報メモリ
５１２：バス
【図１】
0003693691.tif 000002
【図２】
0003693691.tif 000003
【図３】
0003693691.tif 000004
【図４】
0003693691.tif 000005
【図５】
0003693691.tif 000006
【図６】
0003693691.tif 000007
【図７】
0003693691.tif 000008
【図８】
0003693691.tif 000009
【図９】
0003693691.tif 000010
【図１０】
0003693691.tif 000011
【図１１】
0003693691.tif 000012
【図１２】
0003693691.tif 000013
【図１３】
0003693691.tif 000014
【図１４】
0003693691.tif 000015
【図１５】
0003693691.tif 000016
【図１６】
0003693691.tif 000017
【図１７】
0003693691.tif 000018
【図１８】
0003693691.tif 000019
【図１９】
0003693691.tif 000020
【図２０】
0003693691.tif 000021
【図２１】
0003693691.tif 000022
【図２２】
0003693691.tif 000023
【図２３】
0003693691.tif 000024
【図２４】
0003693691.tif 000025
【図２５】
0003693691.tif 000026
【図２６】
0003693691.tif 000027
【図２７】
0003693691.tif 000028
【図２８】
0003693691.tif 000029
【図２９】
0003693691.tif 000030
【図３０】
0003693691.tif 000031
【図３１】
0003693691.tif 000032
【図３２】
0003693691.tif 000033
【図３３】
0003693691.tif 000034
【図３４】
0003693691.tif 000035
【図３５】
0003693691.tif 000036
【図３６】
0003693691.tif 000037
【図３７】
0003693691.tif 000038
【図３８】
0003693691.tif 000039
【図３９】
0003693691.tif 000040
【図４０】
0003693691.tif 000041
【図４１】
0003693691.tif 000042
【図４２】
0003693691.tif 000043
【図４３】
0003693691.tif 000044
【図４４】
0003693691.tif 000045
【図４６】
0003693691.tif 000046
【図４５】
0003693691.tif 000047